(57)【要約】      （修正有）【課題】簡易な処理で体温特定の精度向上を図る体温測定処理プログラム及びこのプログラムを備える体温測定装置並びに体温測定処理システムを提供する。【解決手段】体温測定装置の皮膚側筐体表面より突出して表出状態の皮膚温度センサ及び先端部分を筐体内部側に空隙領域を介在させて表出状態の外部温度センサにより、時間経過ごとに測定されて記憶されている皮膚温度データのうち、所定温度以下の温度データ、所定時間に達するまでの温度データ、所定時間以降の温度データ、及び皮膚温度データと外部温度データとの温度差が所定温度以下の温度データを消去し、消去された温度データ以外の時間ごとの皮膚温度データ及び外部温度データと体温測定装置及び皮膚の熱伝導率から求められる定数とを用いて皮膚温度データを補正し、補正された時間ごとの皮膚温度データに対して所定時間範囲の平均値又は近似値の体温データを算出して体温として特定する構成とする。【選択図】図６
2019166117.tif 000002
【特許請求の範囲】
【請求項１】
身体に装着される体温測定装置における筐体の皮膚と接触する皮膚側筐体表面より先端部分が所定高さで表出されて皮膚温度を測定する皮膚温度センサと、皮膚側筐体表面以外の筐体表面より先端部分が表出すると共に当該筐体表面から筐体内部側に位置されて当該先端部分との間に形成される空隙領域を介在させて外部温度を測定する外部温度センサとにより、所定の時間経過ごとに測定された皮膚温度データ及び外部温度データが記憶手段に記憶され、当該皮膚温度データ及び外部温度データから体温を特定する体温測定処理プログラムであって、
前記記憶されている皮膚温度データ及び外部温度データが入力され、当該皮膚温度データのうち、所定温度以下の温度データ、所定時間に達するまでの温度データ、所定時間以降の温度データ、及び当該皮膚温度データと外部温度データとの温度差が所定温度以下の温度データを消去する手段と、
前記消去された温度データ以外の時間ごとの前記皮膚温度データ及び外部温度データと前記体温測定装置及び皮膚の熱伝導率から求められる定数とを用いて当該皮膚温度データを補正する手段と、
前記補正により得られた時間ごとの皮膚温度データに対して所定時間範囲の平均値又は近似値の体温データを算出して前記体温として特定する手段と、
を有することを特徴とする体温測定処理プログラム。
【請求項２】
身体に装着させ、皮膚温度及び外部温度を測定し、少なくとも経過時間及び測定温度データに基づいて体温を特定する体温測定装置であって、
前記身体に装着される筐体と、
前記身体に装着させた際の身体側となる皮膚側筐体表面より先端部分が所定高さで表出され、当該身体の皮膚と接触して皮膚温度を測定する皮膚温度センサと、
前記皮膚側筐体表面以外の筐体表面より先端部分が筐体内部側に表出して位置され、当該筐体表面の位置から当該先端部分との間に空隙領域が設けられて外部温度を測定する外部温度センサと、
少なくとも、前記測定された皮膚温度データ及び外部温度データを測定経過時間に対応付けて記憶する記憶部と、
少なくとも、前記記憶されている皮膚温度データ及び外部温度データに対して、当該皮膚温度データのうち、所定温度以下の温度データ、所定時間に達するまでの温度データ、所定時間以降の温度データ、及び当該皮膚温度データと外部温度データとの温度差が所定温度以下の温度データを消去し、当該消去された温度データ以外の時間ごとの皮膚温度データ及び外部温度データと装置及び皮膚の熱伝導率から求められる定数とを用いて当該皮膚温度データを補正し、当該補正により得られた時間ごとの皮膚温度データに対して所定時間範囲の平均値又は近似値の体温データを算出して前記体温として特定するプログラムを備えて処理する処理部と、
を有することを特徴とする体温測定処理プログラムを備える体温測定装置。
【請求項３】
身体の皮膚温度及び外部温度を測定し、少なくとも経過時間及び測定温度データに基づいて体温を特定する体温測定処理システムであって、
身体に装着させものであり、筐体と、身体に装着させた際の身体側となる皮膚側筐体表面より先端部分が所定高さで表出され、当該身体の皮膚と接触して皮膚温度を測定する皮膚温度センサと、当該皮膚側筐体表面以外の筐体表面より先端部分が筐体内部側に表出して位置され、当該筐体表面の位置から当該先端部分との間に空隙領域が設けられて外部温度を測定する外部温度センサと、少なくとも、測定された皮膚温度データ及び外部温度データを測定経過時間に対応付けて記憶する記憶部と、を備える体温測定装置と、
前記体温測定装置より、記憶されている測定経過時間に対応付けられた前記皮膚温度データ及び外部温度データを取得し、少なくとも、取得した皮膚温度データ及び外部温度データに対して、当該皮膚温度データのうち、所定温度以下の温度データ、所定時間に達するまでの温度データ、所定時間以降の温度データ、及び当該皮膚温度データと外部温度データとの温度差が所定温度以下の温度データを消去し、当該消去された温度データ以外の時間ごとの皮膚温度データ及び外部温度データと前記体温測定装置及び皮膚の熱伝導率から求められる定数とを用いて当該皮膚温度データを補正し、当該補正により得られた時間ごとの皮膚温度データに対して所定時間範囲の平均値又は近似値の体温データを算出して前記体温として特定するプログラムにより処理を行う処理部と、を備える体温測定処理装置と、
を有することを特徴とする体温測定処理システム。
【発明の詳細な説明】
【技術分野】
【０００１】
本発明は、身体に装着させて皮膚温度及び外部温度を測定することで体温を特定するための体温測定処理プログラム及びこのプログラムを備える体温測定装置並びに体温測定処理システムに関する。
【背景技術】
【０００２】
近年、健康管理を目的として、就寝中や運動中、作業中等の長時間にわたり体温を測定するニーズが高まっている。体温を測定するためには口内や腋下で測定するのが一般的だが、これらの位置では長時間の体温を測定することは困難である。長時間の体温を測定する方法として、機器を身体に装着し体表温度(皮膚温度)を測定する方法が知られているが、体表温度は、外気温度の影響を受けやすいため、外気温度により体表温度を補正し、体温を算出する必要がある。そのため、体表温度のみならず外気温度も衣類等に影響されず、ばらつきを最小限とすることが望まれる。
【０００３】
従来、体温を知るための体温測定装置は種々知られている。例えば特許文献１には、身体温度情報端末装置として、ケーシングの体表面側となる面に体表温度検出部が当該ケーシングより突出されて設けられ、反対面に外気温度検出部が当該ケーシングより突出されて設けられた構成とし、身体温度を代表温度として特定するに際し、測定された体表温度及び外気温度に対して、日常的な体温と考えられる常識的な範囲（例えば、３３℃〜３８℃）に属しない温度データを除去し、除去された温度データ以外の温度データについてフーリエの法則により体表温度を修正した修正体表温度とし、複数の修正体表温度の時間的変動幅の少ない熱平衡状態を判定して代表温度候補とし、当該代表温度候補のうち、最高温度となるものを代表温度として特定することが記載されている。
【先行技術文献】
【特許文献】
【０００４】
【特許文献１】特許第３９０９３０１号公報
【発明の概要】
【発明が解決しようとする課題】
【０００５】
しかしながら、特許文献１記載のものは、身体温度情報端末装置を身体に装着した場合に外気温度検出部が下着等に衣類に接して摩擦熱により正確な外気温度検出とは言い難く、また、外部に熱源がある場合や発汗等で気化熱が生じた場合などで体表温度データが外気温度データを下回った場合であっても当該温度データも含めた演算がなされてしまい代表温度の特定精度の低下を招いているという問題があると共に、演算に際して除去する温度データは常識的な範囲以外のデータであって、例えば当該範囲内（３３℃〜３８℃）であっても体表温度検出が体表温度（皮膚温度）に追従するまでの、本来演算対象としてはならない温度データも含まれることから、これらに対して熱平衡状態を判定させる処理などの複雑な処理を必要とすると共に、データ量が増大するという問題がある。
【０００６】
そこで、本発明は上記課題に鑑みなされたもので、簡易な処理で体温特定の精度向上を図る体温測定処理プログラム及びこのプログラムを備える体温測定装置並びに体温測定処理システムを提供することを目的とする。
【課題を解決するための手段】
【０００７】
上記課題を解決するために、請求項１の発明では、身体に装着される体温測定装置における筐体の皮膚と接触する皮膚側筐体表面より先端部分が所定高さで表出されて皮膚温度を測定する皮膚温度センサと、皮膚側筐体表面以外の筐体表面より先端部分が表出すると共に当該外部側筐体表面から筐体内部側に位置されて当該先端部分との間に形成される空隙領域を介在させて外部温度を測定する外部温度センサとにより、所定の時間経過ごとに測定された皮膚温度データ及び外部温度データが記憶手段に記憶され、当該皮膚温度データ及び外部温度データから体温を特定する体温測定処理プログラムであって、前記記憶されている皮膚温度データ及び外部温度データが入力され、当該皮膚温度データのうち、所定温度以下の温度データ、所定時間に達するまでの温度データ、所定時間以降の温度データ、及び当該皮膚温度データと外部温度データとの温度差が所定温度以下の温度データを消去する手段と、前記消去された温度データ以外の時間ごとの前記皮膚温度データ及び外部温度データと前記体温測定装置及び皮膚の熱伝導率から求められる定数とを用いて当該皮膚温度データを補正する手段と、前記補正により得られた時間ごとの皮膚温度データに対して所定時間範囲の平均値又は近似値の体温データを算出して前記体温として特定する手段と、を有する構成とする。
【０００８】
請求項２の発明では、身体に装着させ、皮膚温度及び外部温度を測定し、少なくとも経過時間及び測定温度データに基づいて体温を特定する体温測定装置であって、前記身体に装着される筐体と、前記身体に装着させた際の身体側となる皮膚側筐体表面より先端部分が所定高さで表出され、当該身体の皮膚と接触して皮膚温度を測定する皮膚温度センサと、前記皮膚側筐体表面以外の筐体表面より先端部分が筐体内部側に表出して位置され、当該外部側筐体表面の位置から当該先端部分との間に空隙領域が設けられて外部温度を測定する外部温度センサと、少なくとも、前記測定された皮膚温度データ及び外部温度データを測定経過時間に対応付けて記憶する記憶部と、少なくとも、前記記憶されている皮膚温度データ及び外部温度データに対して、当該皮膚温度データのうち、所定温度以下の温度データ、所定時間に達するまでの温度データ、所定時間以降の温度データ、及び当該皮膚温度データと外部温度データとの温度差が所定温度以下の温度データを消去し、当該消去された温度データ以外の時間ごとの皮膚温度データ及び外部温度データと装置及び皮膚の熱伝導率から求められる定数とを用いて当該皮膚温度データを補正し、当該補正により得られた時間ごとの皮膚温度データに対して所定時間範囲の平均値又は近似値の体温データを算出して前記体温として特定するプログラムを備えて処理する処理部と、を有する構成とする。
【０００９】
請求項３の発明では、身体の皮膚温度及び外部温度を測定し、少なくとも経過時間及び測定温度データに基づいて体温を特定する体温測定処理システムであって、身体に装着させものであり、筐体と、身体に装着させた際の身体側となる皮膚側筐体表面より先端部分が所定高さで表出され、当該身体の皮膚と接触して皮膚温度を測定する皮膚温度センサと、当該皮膚側筐体表面以外の筐体表面より先端部分が筐体内部側に表出して位置され、当該外部側筐体表面の位置から当該先端部分との間に空隙領域が設けられて外部温度を測定する外部温度センサと、少なくとも、測定された皮膚温度データ及び外部温度データを測定経過時間に対応付けて記憶する記憶部と、を備える体温測定装置と、前記体温測定装置より、記憶されている測定経過時間に対応付けられた前記皮膚温度データ及び外部温度データを取得し、少なくとも、取得した皮膚温度データ及び外部温度データに対して、当該皮膚温度データのうち、所定温度以下の温度データ、所定時間に達するまでの温度データ、所定時間以降の温度データ、及び当該皮膚温度データと外部温度データとの温度差が所定温度以下の温度データを消去し、当該消去された温度データ以外の時間ごとの皮膚温度データ及び外部温度データと前記体温測定装置及び皮膚の熱伝導率から求められる定数とを用いて当該皮膚温度データを補正し、当該補正により得られた時間ごとの皮膚温度データに対して所定時間範囲の平均値又は近似値の体温データを算出して前記体温として特定するプログラムにより処理を行う処理部と、を備える体温測定処理装置と、を有する構成とする。
【発明の効果】
【００１０】
請求項１の発明によれば、身体に装着させ、体温を特定するための皮膚温度及び外部温度を測定するものであり、皮膚温度センサを、身体に装着させた際のその先端部分を身体側となる皮膚側筐体表面より所定高さで表出させることで皮膚と接触させて皮膚温度を測定させ、外部温度センサを、皮膚側筐体表面以外の筐体表面より先端部分を筐体内部側に表出状態で位置させ、当該筐体表面の位置から当該先端部分との間に形成される空隙領域を介在させて外部温度を測定させた所定の時間経過ごとの皮膚温度データ及び外部温度データが記憶された体温測定装置の、当該記憶されている皮膚温度データ及び外部温度データに対して、当該皮膚温度データのうち、所定温度以下の温度データ、所定時間に達するまでの温度データ、所定時間以降の温度データ、及び皮膚温度データと外部温度データとの温度差が所定温度以下の温度データを消去し、消去された温度データ以外の時間ごとの皮膚温度データ及び外部温度データと体温測定装置及び皮膚の熱伝導率から求められる定数とを用いて皮膚温度データを補正し、補正により得られた時間ごとの皮膚温度データに対して所定時間範囲の平均値又は近似値の体温データを算出して体温として特定する構成とすることにより、外部温度センサによる測定が衣類の影響を受けない外部温度データを体温特定の演算対象とし、皮膚温度データにおける体温の特定要素となり得ない所定時間に達するまでの温度データ、外部温度データとの差が所定温度以下の温度データ、所定温度以下である温度データを消去対象として、不要な温度データが精度良く対象外となって簡易な演算処理で体温特定の精度を向上させることができるものである。
【００１１】
請求項２の発明によれば、身体に装着させ、体温を特定するための皮膚温度及び外部温度を測定するものであり、皮膚温度センサを、身体に装着させた際のその先端部分を身体側となる皮膚側筐体表面より所定高さで表出させることで皮膚と接触させて皮膚温度を測定させ、外部温度センサを、皮膚側筐体表面以外の筐体表面より先端部分を筐体内部側に表出状態で位置させ、当該筐体表面の位置から当該先端部分との間に形成される空隙領域を介在させて外部温度を測定させた所定の時間経過ごとの皮膚温度データ及び外部温度データが記憶され、処理部において、記憶されている皮膚温度データ及び外部温度データに対して、皮膚温度データのうち、所定温度以下の温度データ、所定時間に達するまでの温度データ、所定時間以降の温度データ、及び皮膚温度データと外部温度データとの温度差が所定温度以下の温度データを消去し、消去された温度データ以外の時間ごとの皮膚温度データ及び外部温度データと装置及び皮膚の熱伝導率から求められる定数とを用いて皮膚温度データを補正し、補正により得られた時間ごとの皮膚温度データに対して所定時間範囲の平均値又は近似値の体温データを算出して体温として特定する構成とすることにより、外部温度センサによる測定が衣類の影響を受けない外部温度データを体温特定の演算対象とし、皮膚温度データにおける体温の特定要素となり得ない所定時間に達するまでの温度データ、外部温度データとの差が所定温度以下の温度データ、所定温度以下である温度データを消去対象として、不要な温度データが精度良く対象外となって装置内での簡易な演算処理で体温特定の精度を向上させることができるものである。
【００１２】
請求項３の発明によれば、体温測定装置において、身体に装着させた際のその先端部分を身体側となる皮膚側筐体表面より所定高さで表出させた皮膚温度センサで皮膚温度を測定させ、皮膚側筐体表面以外の筐体表面より先端部分を筐体内部側に表出状態で位置させ、当該筐体表面の位置から当該先端部分との間に形成される空隙領域を介在させて外部温度センサで外部温度を測定させた所定の時間経過ごとの皮膚温度データ及び外部温度データを記憶させ、体温測定処理装置において、体温測定装置に記憶されている皮膚温度データ及び外部温度データを取得し、皮膚温度データのうち、所定温度以下の温度データ、所定時間に達するまでの温度データ、所定時間以降の温度データ、及び皮膚温度データと外部温度データとの温度差が所定温度以下の温度データを消去し、消去された温度データ以外の時間ごとの皮膚温度データ及び外部温度データと体温測定装置及び皮膚の熱伝導率から求められる定数とを用いて皮膚温度データを補正し、補正により得られた時間ごとの皮膚温度データに対して所定時間範囲の平均値又は近似値の体温データを算出して体温として特定する構成とすることにより、体温測定装置を簡易な構成とすることができ、外部温度センサによる測定が衣類の影響を受けない外部温度データを体温特定の演算対象とし、皮膚温度データにおける体温の特定要素となり得ない所定時間に達するまでの温度データ、外部温度データとの差が所定温度以下の温度データ、所定温度以下である温度データを消去対象として、不要な温度データが精度良く対象外となって体温特定の精度を向上させることができるものである。
【図面の簡単な説明】
【００１３】
【図１】本発明に係る体温測定装置の構成図である。
【図２】図１の体温測定装置の皮膚温度測定センサ及び外部温度センサの説明図である。
【図３】本発明に係る体温測定装置及び外部測定処理装置における電子回路のブロック構成図である。
【図４】図１の体温測定装置の装着状態の説明図である。
【図５】就寝中における皮膚温度及び外部温度の変化の一例を示した説明図である。
【図６】体温を特定する体温測定処理プログラムの処理フローチャートである。
【図７】図５の変化グラフにおける消去対象の温度データの一例を示した説明図である。
【図８】フーリエの法則による皮膚温度を補正する要素の説明図である。
【図９】平均値及び近似値による皮膚温度補正の説明図である。
【図１０】特定された体温の所定期間内の変化を示した説明図である。
【発明を実施するための形態】
【００１４】
以下、本発明の実施形態を図により説明する。本実施形態は、体温測定処理装置及び体温測定処理装置のシステムとして、当該体温測定処理装置に体温測定処理プログラムを備えさせたものとして説明するが、体温測定処理プログラムを体温測定装置に備えさせるものとしてもよい（後述する）。
【００１５】
図１に、本発明に係る体温測定装置の構成図を示すと共に、図２に図１の体温測定装置の皮膚温度測定センサ及び外部温度センサの説明図を示す。図１（Ａ）、（Ｂ）において、体温測定装置１１は、身体に装着させるものであって、筐体１２の一方面を皮膚に直接に接触させる皮膚側筐体表面１３とし、他方面を皮膚側筐体表面以外の筐体表面とした外部側筐体表面１４としている。当該外部側筐体表面１４は装着時には下着等の衣類と接触状態となる。
【００１６】
上記筐体１２は、厚さｄが例えば約１．５ｍｍ（図２参照）の例えばアクリロニトリル・ブタジエン ・スチレン（ＡＢＳ樹脂）、シリコン、ポリプロピレン（ＰＰ）、ポリエステル（ＰＥ）等で形成され、内部に、一方側に皮膚温度センサ２１が実装されると共に他方側に外部温度センサ２２が実装され、少なくとも計時手段及び経過時間ごとの測定温度データを記憶する記憶手段を有する処理回路が実装された電子回路基板３１Ａを備える電子回路部３１が設けられる（図３で説明する）。なお、当該筐体１２は、上記厚さや樹脂の種類に限定されるものではなく、使用感や耐久性等を考慮して適宜選択される。
【００１７】
上記皮膚温度センサ２１は、筐体１２における皮膚側筐体表面１３の対応位置に形成された皮膚温度センサ用孔１５よりその先端部分が所定高さで表出される。具体的には、図２（Ａ）に示すように、径φ（例えばφ＞1ｍｍ、好ましくはφ≧２ｍｍ）の皮膚温度センサ２１の先端部分が皮膚側筐体表面１３の表面上から所定高さｈ１（ｈ１≧０ｍｍ）であって、好ましくは０．２≦ｈ１＜９ｍｍ、より好ましくは２≦ｈ１＜７ｍｍで位置された状態で設けられる。０．２≦ｈ１であれば、測定温度が安定（図４参照）し、ｈ１＜９であれば、皮膚に対する痛み等も少なくなる。実際的にはｈ１＝２ｍｍとしている。
【００１８】
上記外部温度センサ２２は、筐体１２における外部側筐体表面１４の対応位置に形成された外部温度センサ用孔１６よりその先端部分が筐体１２の内部側に表出して位置され、当該外部側筐体表面１４の位置から当該先端部分との間に空隙領域２２Ａが設けられる。なお、筐体１２における外部温度センサ２２の配置の他の形態については後述する。
【００１９】
具体的には、図２（Ｂ）に示すように、径φ（例えばφ＞１ｍｍ）の外部温度センサ２２の先端部分が外部側筐体表面１４の表面上から筐体内部側に所定距離ｈ２（ｈ２＞０ｍｍ）であって、好ましくは筐体１２の厚みｄ＞ｈ２＞０．２ｍｍで表出して位置された状態で設けられ、これによって外部側筐体表面１４の表面と当該外部温度センサ２２の先端部分との間に空隙領域２２Ａが形成されることとなる。ｈ２＞０．２であれば、衣服の繊維等の接触が少なく、筐体の厚みｄ＞ｈ２であれば、筐体１２内に埃等の異物の進入を少なくできる。実際的にはｈ２＝０．５ｍｍとしている。なお、図２（Ｂ）では、外部温度センサ２２の先端部分を筐体１２の厚み途中に位置させたものとして示しているが、筐体１２の内部に位置させてもよく、その場合は、異物や水の進入を防ぐためにシール等の処理を行えばよい。
【００２０】
上記皮膚温度センサ２１及び外部温度センサ２２は、同じ構造であっても異なる構造であってもよく、同じ構造である場合は、図２（Ｃ）に示すように、例えば径φ（例えばφ＞1ｍｍ、好ましくはφ≧２ｍｍ）、厚さｄ１（例えばｄ１＝０．１ｍｍ）のステンレス製の先端が閉塞された円筒状で、その内部先端部分にサーミスタ等の測温素子２３が当該先端部分に接触して配置され、例えば固定用樹脂２４で固定されて形成されたものである。上記径がφ＜１であると皮膚の痛みを感じさせる場合もあることを考慮したものである。また、上記径φは、皮膚温度センサ２１及び外部温度センサ２２が同じ径であっても異なる径であってもよいが、筐体１２のそれぞれ対応する皮膚温度センサ用孔１５及び外部温度センサ用孔１６とほぼ同じであることが好ましく、これによって隙間を少なくして防水性能を高めることができるものである。なお、皮膚温度センサ２１及び外部温度センサ２２の材質はステンレス製でなく、アルミや銅等の金属を用いることもできる。また、その厚さｄ１も使用する金属の特性を利用し、熱伝導率と強度から任意に決定すればよい。
【００２１】
ここで、図３に、本発明に係る体温測定装置及び外部測定処理装置における電子回路のブロック構成図を示す。図３において、体温測定処理システムは、体温測定装置１１と体温測定処理装置４１とが有線、無線を問わず通信自在とされる（ここでは無線とする）。
【００２２】
体温測定装置１１の備える電子回路３１は、処理部５１、計時部５２、記憶部５３、送信部５４及び操作入力部５５を有する。ここで、上記計時部５２は時間を計数する回路であり、上記記憶部５３は主に各温度データを記憶するメモリであり、上記送信部５４は体温測定処理装置４１に例えばＢＬＵＥＴＯＯＴＨ（登録商標）などによりデータ送信するための通信インタフェースであり、上記操作入力部５５は図１では図示していない操作部からの操作信号を入力するための回路である。
【００２３】
そして、上記処理部５１は、操作入力部５５からの測定開始の信号に応じて計時部５２より時間データを入力し、図１に示す皮膚温度センサ２１及び外部温度センサ２２より、予め設定（測定者による適宜な設定でもよい）された所定時間（例えば１分）ごと測定された皮膚温度データ及び外部温度データを入力し、時間経過ごとの皮膚温度データ及び外部温度データの温度データを経過時間と対応付けて記憶部５３に記憶していき、測定者による適宜なタイミングの操作で、当該記憶部５３に記憶されている温度データを体温測定処理装置４１に送信部５４を介して送信する処理を行うプログラムを備える。
【００２４】
体温測定処理装置４１は、処理部６１、受信部６２、記憶部６３及び表示部６４を少なくとも備える。体温測定処理装置４１としては、例えばスマートフォンなどの携帯端末やパーソナルコンピュータなどであり、上記体温測定処理プログラムがインストールされて適宜実行されるもので、ここでは体温測定処理の機能に特化させたものとして説明する。
【００２５】
上記処理部６１は体温測定処理プログラムを備えるもので、その処理内容は図６で説明する。上記受信部６２は体温測定装置１１の送信部５４と同じ通信プロトコルを備えるデータ受信のための通信インタフェースであり、上記記憶部６３は体温測定装置１１から取得した温度データを記憶すると共に特定した体温を測定日付に対応付けて記憶し、また、体温を特定するためのプログラム処理領域としての役割をなす。上記表示部６４は携帯端末やコンピュータのディスプレイであり、ここでは本発明に特化して特定された体温の所定期間範囲での推移を表示させるためのものとする。
【００２６】
次に、図４に図１の体温測定装置の装着状態の説明図を示すと共に、図５に就寝中における皮膚温度及び外部温度の変化の一例の説明図を示す。図４において、体温測定装置１１は、身体の例えば皮膚７１と下着等の衣類７２との間に装着される。この場合、体温測定装置１１における皮膚側筐体表面１３が皮膚７１に直接接触し、所定高さで突出されている皮膚温度センサ２１の先端部分が直接当該皮膚７１に若干めり込んだ状態で接触する。
【００２７】
また、体温測定装置１１における外部側筐体表面１４が衣類７２と接触するが、外部温度センサ２２の表出されている先端部分は、衣類７２とは直接接触せず、当該先端部分と衣類７２との間に空隙領域２２Ａが介在される状態となる。すなわち、外部温度センサ２２は、衣類７２とは空隙領域２２Ａによって直接接触しないことから、衣類７２との摩擦熱の影響を受けずに温度測定されることとなる。
【００２８】
そこで、上記体温測定装置１１を装着した測定者の、例えば就寝時から起床時までの時間で所定時間ごとに測定した一例の皮膚温度データ及び外部温度データが図５に示される。ここでは、就寝時に体温測定装置１１を測定開始の操作で稼働させたものとしている。
【００２９】
そして、図５に示す所定時間ごとに測定した皮膚温度データ及び外部温度データが経過時間に対応付けられて記憶部５３に記憶され、例えば起床時に測定者の操作によって記憶部５３に記憶された温度データが送信部５４を介して体温測定処理装置４１に送信される。
【００３０】
そこで、図６に体温を特定する体温測定処理プログラムの処理フローチャートを示すと共に、図７に図５の変化グラフにおける消去対象の温度データの一例の説明図、図８にフーリエの法則による皮膚温度を補正する要素の説明図、図９にフーリエの法則による演算要素の定数特定の説明図、図１０に平均値及び近似値による皮膚温度補正の説明図、図１１に特定された体温の所定期間内の変化の説明図を示す。
【００３１】
まず、前提として、例えば測定者が就寝時に体温測定装置１１を装着して温度測定が開始され、例えば８時間の就寝中に例えば１０秒間隔で皮膚温度及び外部温度が測定され、その皮膚温度データ及び外部温度データが測定した経過時間に対応付けられて図３に示す記憶部５３に記憶される。そして、例えば起床後に体温測定装置１１より体温測定処理装置４１に記憶されている皮膚温度データ及び外部温度データを送信する。
【００３２】
そこで、図６（Ａ）において、体温測定処理装置４１では、体温測定処理プログラムが実行され、体温測定装置１１より経過時間に対応付けられた皮膚温度データ及び外部温度データを取得して記憶部６３に記憶する（ステップ１（Ｓ１））。記憶した皮膚温度データ及び外部温度データの一例が図５に示したグラフの温度データである。
【００３３】
続いて、取得した皮膚温度データ及び外部温度データに対して、図７に示すように、皮膚温度データのうち、所定温度以下の温度データ（パターンＩ、パターンＩＩＩ）、及び所定時間に達するまでの温度データ（パターンＩ）、及び所定時間以降の温度データ（パターンＩＩＩ、及び当該皮膚温度データと外部温度データとの温度差が所定温度以下の温度データ（パターンＩＩ）を消去する（Ｓ２）。
【００３４】
すなわち、皮膚温度データのうち、上記所定時間に達するまでの温度データは、例えば皮膚温度に追従するまでの温度データとして、例えば開始直後から３０分の温度データを消去し（パターンＩ）、また、皮膚温度と外部温度との温度差が所定温度以下の温度データは、例えば外部に熱源がある場合や発汗等で気化熱が生じた場合などとして消去し（パターンＩＩ）、さらに、所定温度以下の温度データは、所定温度としては例えば３４℃未満とし、例えば皮膚温度センサ２１が皮膚から外れた場合として消去し（パターンＩＩＩ）、さらにまた所定時間以降の温度データは、例えば起床や温度測定予定時間に達した温度データを消去する（パターンＩＩＩ）ものである。
【００３５】
これによって、外部温度センサ２２による測定が衣類の影響を受けない外部温度データを体温特定の演算対象とし、皮膚温度データにおける体温の特定要素となり得ない不要な温度データが精度良く対象外となって簡易な演算処理で体温特定の精度を向上させることができるものである。
【００３６】
続いて、消去された温度データ以外の皮膚温度データ、外部温度データと、体温測定装置及び皮膚の熱伝導率から求められる定数とからフーリエの法則を用いて皮膚温度データを補正する（Ｓ３）。以下、詳述する。
【００３７】
ここで、補正した皮膚体温をＴｉ、体温測定装置及び皮膚の熱伝導率から求められる定数をＫ、皮膚温度をＴｓ、外部温度をＴａとし、図８に示す身体深部７１Ａから皮膚温度センサ２１までの熱伝導率をλ１、皮膚７１から外部温度センサ２２までの熱伝導率をλ２とする。
【００３８】
そこで、熱流束（ｑ）は温度勾配（ｄｔ／ｄｘ）と熱伝導率λに比例するというフーリエの法則（ｑ＝λ（ｄｔ／ｄｘ））を用いて体温測定装置１１に当てはめると、
ｑ＝λ１（Ｔｉ−Ｔｓ）、ｑ＝λ２（Ｔｓ−Ｔａ）から
Ｔｉ＝Ｔｓ＋Ｋ（Ｔｓ−Ｔａ）
（Ｋは体温測定装置及び皮膚の熱伝導率から求められる定数であり、Ｋ＝λ２／λ１）
の式となって補正された皮膚温度Ｔｉが導き出される。
【００３９】
上記体温測定装置及び皮膚の熱伝導率から求められる定数Ｋは、体温測定装置と身体との関係で一番良好な値（身体的違いが殆どない）を経験で定めることができる。
【００４０】
続いて、補正された皮膚温度データを体温として特定し、所定時間範囲の平均値を演算した温度データを当日の体温として特定する（Ｓ４Ａ）。ここでは、所定時間範囲を就寝時間である８時間とし、これを当日のものとする。すなわち、図９（Ａ）に示すように、図７に基づいて補正された時間ごとの皮膚温度の平均値（ａｖｅ）を算出して体温として特定する。なお、図９（Ａ）では、補正した皮膚温度データを後述の図９（Ｂ）との比較上のために外部温度の低い順に並べ替えたものとしているが、並び替えをしなくとも同様である。
【００４１】
ここまでの体温測定処理プログラムは、所定時間範囲の体温を特定するにあたり、それぞれ補正された皮膚温度の平均値を算出する処理としたが、平均値算出に代えて、図６（Ｂ）に示すように、補正された皮膚温度データに対して所定時間範囲の近似値を演算した温度データを体温として特定することとしてもよい（Ｓ４Ｂ）。すなわち、図９（Ｂ）に示すように、上記所定時間範囲のそれぞれの補正された皮膚温度を、外部温度の低い順に並べ替え、そのときの当該補正された皮膚温度の近似値を算出することによっても体温として特定することができるものである。なお、図９（Ｂ）を図９（Ａ）と比較しても図上の傾きの分（ｘ）だけの誤差であり、無視できるものとなる。
【００４２】
続いて、図６（Ａ）に戻り、特定された体温の温度データに測定日の日付を対応付けて記憶部６３に記憶する（Ｓ５）。そして、体温測定処理装置４１において、図示しない操作に応じて、記憶された体温の体温データを所定期間範囲で読み出して表示化し、表示部６４に表示させる（Ｓ６）。すなわち、図１０に示すように、例えば所定期間範囲として３０日を指定し、当該３０日分の体温データをグラフとして表示化し、表示部６４に表示させる。これによって、測定者の低温期や高温期を認識することができるものである。
【００４３】
このように、体温を特定するための不要な温度データが精度良く対象外となって簡易な演算処理で体温特定の精度を向上させることができるものである。特に、就寝中の長時間に渡って測定した皮膚温度から基礎体温を特定する場合に有用である。
【００４４】
ところで、上記図６に示す処理を行う体温測定処理プログラムを、光ディスク等の記憶媒体に記憶させ、若しくはインターネットなどのネットを媒体としてダウンロード自在に置いておくこととすることもできる。
【００４５】
また、上記体温測定処理プログラムにより比較的簡易な演算処理で精度よく体温の特定を行うことが可能であることから、図６におけるＳ６の処理のプログラムを体温測定処理装置４１に備えさせて、図６におけるＳ１〜Ｓ４Ａ若しくはＳ１〜Ｓ４Ｂ、又は、Ｓ１〜Ｓ４Ａ〜Ｓ５若しくはＳ１〜Ｓ４Ｂ〜Ｓ５の処理を行う体温測定処理プログラムを体温測定装置１１に備えさせることとしてもよい。さらには、体温測定装置１１に表示部を設け、図６におけるＳ１〜Ｓ４Ａ〜Ｓ６若しくはＳ１〜Ｓ４Ｂ〜Ｓ６の処理を行う体温測定処理プログラムを備えさせることとしてもよい。
【００４６】
なお、上記実施形態において、筐体を略直方体の形状として示しているが、円錐体や楕円体など、筐体の形状はこれに限定されない。この場合、装着した際に、皮膚への圧が集中して痛みがないように所定の面積の接触予定面を有し、平たい形状で安定する形状が好ましい。
【００４７】
また、外部温度センサ２２は、筐体を身体に装着した際に、皮膚に接触しない位置であればよい。すなわち、装着時の筐体の接触予定面以外の場所であればよく、より好ましくは、上記実施形態のように体温の放射の影響を受けにくい皮膚温度センサの反対側に設けるのがよい。
【産業上の利用可能性】
【００４８】
本発明の体温測定処理プログラム及びこのプログラムを備える体温測定装置並びに体温測定処理システムは、身体に装着させて皮膚温度及び外部温度を測定することで体温を特定する装置の製造、販売、使用等の産業分野に利用可能である。
【符号の説明】
【００４９】
１１            体温測定装置
１２            筐体
１３            皮膚側筐体表面
１４            外部側筐体表面
１５            皮膚温度センサ用孔
１６            外部温度センサ用孔
２１            皮膚温度センサ
２２            外部温度センサ
２２Ａ          空隙領域
２３            測温素子
２４            固定用樹脂
３１            電子回路部
３１Ａ          電子回路基板
４１            体温測定処理装置
５１，６１      処理部
５２            計時部
５３，６３      記憶部
５４            送信部
５５            操作入力部
６２            受信部
６４            表示部
７１            皮膚
７１Ａ          身体深部
７２            衣類
【図１】
2019166117.tif 000003
【図２】
2019166117.tif 000004
【図３】
2019166117.tif 000005
【図４】
2019166117.tif 000006
【図５】
2019166117.tif 000007
【図６】
2019166117.tif 000008
【図７】
2019166117.tif 000009
【図８】
2019166117.tif 000010
【図９】
2019166117.tif 000011
【図１０】
2019166117.tif 000012